(57)【要約】【課題】複数段状に配置された回路基板のうち、基部側のものに取り付けられた電子部品の目視確認が容易であり、遊技機内に配置する回路基板の自由度を拡大する。【解決手段】基板ケース３０は、透明材料で形成され、スロットマシン１に取り付けられるケース基部４０と、これに装着される第１ケース蓋部５０と、これに装着される第２ケース蓋部６０を備える。ケース基部４０に第１ケース蓋部５０を装着して形成される第１ケース内部に画像処理基板３１を収容し、第１ケース蓋部５０に第２ケース蓋部６０を装着して形成される第２ケース内部にサブ制御基板３３を収容する。第２ケース蓋部６０は、第１ケース蓋部５０に回動自在に装着され、サブ制御基板３３は、これに取り付けられた電子部品３８が第２ケース蓋部６０の内側に向くようにして第２ケース蓋部６０に封鎖手段６５を介して取り付けられる。【選択図】図５
2007244635.tif 000002
【特許請求の範囲】
【請求項１】
遊技機に取り付けられるケース基部と、該ケース基部に装着されて透明な材料で形成される第１ケース蓋部と、該第１ケース蓋部に装着される第２ケース蓋部とを備え、前記ケース基部に前記第１ケース蓋部を装着して形成される第１ケース内部に前記遊技機の作動を制御する第１回路基板を収容し、前記第１ケース蓋部に前記第２ケース蓋部を装着して形成される第２ケース内部に第２回路基板を収容する遊技機の基板ケースであって、
前記第２ケース蓋部は、前記第１ケース蓋部に着脱自在に装着され、
前記第２回路基板は、該第２回路基板に取り付けられた電子部品が前記第２ケース蓋部の天板部の内面に面するように前記第２ケース蓋部の内側に配置されて該第２ケース蓋部に取り付けられることを特徴とする遊技機の基板ケース。
【請求項２】
前記第２ケース蓋部は、前記第１ケース蓋部の一端側に設けられた回動支点を回動中心として回動可能であることを特徴とする請求項１に記載の遊技機の基板ケース。
【請求項３】
前記第２回路基板は、封鎖手段によって前記第２ケース蓋部に取り付けられることを特徴とする請求項１又は２に記載の遊技機の基板ケース。
【発明の詳細な説明】
【技術分野】
【０００１】
本発明は、遊技機の基板ケースに関し、さらに詳細には、遊技機内に設けられて２段状に配置された回路基板を収容する遊技機の基板ケースに関する。
【背景技術】
【０００２】
スロットルマシンやパチンコ等の遊技機には、遊技内容を書き込んだＲＯＭが回路基板に搭載されている。このような回路基板は、特許文献１に記載されているように、ＲＯＭの不正交換を防止するために、遊技機に取り付けられるケース基部とケース蓋部との間に挟まれるようにして基板ケース内部に収容されており、この基板ケースは、封鎖手段によってケース基部とケース蓋部とが分離できないようにされている。
【０００３】
また遊技機内には各種の回路基板が搭載されているが、遊技機内の空間部は限られた領域であるので、この空間部を有効に利用する必要がある。そこで、ケース蓋部の前側に他の回路基板を収容可能な別のケース蓋部を一体的に取り付けた基板ケースが用いられている。
【０００４】
【特許文献１】特開２００４−６５７９１号公報
【発明の開示】
【発明が解決しようとする課題】
【０００５】
一般的に、回路基板を収容する基板ケースは、回路基板に取り付けられた電子部品の確認を容易にするため、透明又は半透明な材料で形成されているが、回路基板を２段状に収容する基板ケースでは、この前側から基板ケース内部を目視すると、上段側の回路基板に取り付けられた電子部品を目視確認することができるが、下段側の回路基板では上段側の回路基板が邪魔をして、下段側の回路基板に取り付けられた電子部品を目視確認することができない。
【０００６】
そこで、上段側のケース蓋部内に収容されている回路基板を取り外すと、下段側の回路基板に取り付けられた電子部品の目視確認をすることができる。しかしながら、上段側のケース蓋部は下段側のケース蓋部に封鎖手段によって取り付けられている場合が多く、この封鎖手段を壊さなければ上段側のケース蓋部を取り外すことができないので、煩わしい。また封鎖手段を壊すと、新たなケース蓋部等が必要となり、コストが高くなるという問題が発生する。このため、下段側のケース内には目視確認が不要な電子部品を取り付けた回路基板しか収容することができず、遊技機内の回路基板の配置の自由の拡大が制限されているのが現状である。
【０００７】
本発明は、下段側のケース内に収容される回路基板に取り付けられた電子部品の目視確認を容易に行うことができ、遊技機内の回路基板の配置の自由を拡大可能なる遊技機の基板ケースが望まれており、このような要望に応える遊技機の基板ケースを提供することを目的とする。
【課題を解決するための手段】
【０００８】
このような課題を解決するため、本発明は、遊技機（例えば、実施形態におけるスロットマシン１）に取り付けられるケース基部と、該ケース基部に装着されて透明な材料で形成される第１ケース蓋部と、該第１ケース蓋部に装着される第２ケース蓋部とを備え、ケース基部に第１ケース蓋部を装着して形成される第１ケース内部に遊技機の作動を制御する第１回路基板（例えば、実施形態における画像処理基板３１）を収容し、第１ケース蓋部に第２ケース蓋部を装着して形成される第２ケース内部に第２回路基板（例えば、実施形態におけるサブ制御基板３３）を収容する遊技機の基板ケースであって、第２ケース蓋部は、第１ケース蓋部に着脱自在に装着され、第２回路基板は、該第２回路基板に取り付けられた電子部品が第２ケース蓋部の天板部の内面に面するように第２ケース蓋部の内側に配置されて該第２ケース蓋部に取り付けられることを特徴とする。
【０００９】
この発明によれば、第２ケース蓋部は透明な材料で形成された第１ケース蓋部に着脱自在に装着され、第２回路基板は、これに取り付けられた電子部品が第２ケース蓋部の天板部の内面に面するように第２ケース蓋部の内側に配置されて第２ケース蓋部に取り付けられることにより、第２ケース蓋部を第１ケース蓋部から取り外すと、第２回路基板も第２ケース蓋部とともに第１ケース蓋部から離反して、第１ケース蓋部の天板部が露出する。このため、この天板部を通して第１ケース内部に収容された回路基板に取り付けられた電子部品を目視確認することができる。また第２ケース蓋部を第１ケース蓋部から取り外すだけで、第２回路基板が第１ケース蓋部から離反するので、第２回路基板を第２ケース蓋部から取り外す必要がない。このため、第１ケース内部に収容された回路基板の電子部品の目視確認を容易に行うことができる。従って、第１ケース内に目視確認の必要性がある電子部品を取り付けた回路基板を積極的に収容することができ、遊技機内における回路基板の配置の自由を拡大することができる。
【００１０】
また本発明の第２ケース蓋部は、第１ケース蓋部の一端側に設けられた回動支点を回動中心として回動可能であることを特徴とする。
【００１１】
この発明によれば、第２ケース蓋部は、第１ケース蓋部の一端側に設けられた回動支点を回動中心として回動可能であることにより、第２ケース蓋部を第１ケース蓋部に対して回動させるだけで、第１ケース蓋部の天板部を露出することができ、第１ケース内に収容された回路基板の電子部品を目視確認することができる。このため、第１ケース内に収容された回路基板の電子部品の目視確認をより容易に行うことができる。
【００１２】
また本発明の第２回路基板は、封鎖手段によって第２ケース蓋部に取り付けられることを特徴とする。
【００１３】
この発明によれば、第２回路基板を封鎖手段によって第２ケース蓋部に取り付けることにより、封鎖手段を壊さなければ第２回路基板に取り付けられた電子部品に触れることができない。このため、第２回路基板の電子部品に対する不正行為を高い抑止力で防止することができる。
【発明の効果】
【００１４】
本発明によれば、第２ケース蓋部を透明な材料で形成された第１ケース蓋部に着脱自在に装着し、第２回路基板を、これに取り付けられた電子部品が第２ケース蓋部の天板部の内面に面するように第２ケース蓋部の内側に配置して第２ケース蓋部に取り付けることにより、下段側の基板ケース内に収容される回路基板に取り付けられた電子部品の目視確認を容易に行うことができ、遊技機内の回路基板の配置の自由を拡大可能な遊技機の基板ケースを提供することができる。
【発明を実施するための最良の形態】
【００１５】
以下、本発明に係わる遊技機の基板ケースの好ましい実施の形態を図１から図７に基づいて説明する。本実施の形態は、基板ケースを、遊技機の一例であるスロットマシンに適用した場合について説明する。
【００１６】
スロットマシン１は、図１（正面図）及び図２（内部構造図）に示すように、遊技者に面する側にいわゆるフロントマスク２が形成された前扉３が略矩形状の箱体である筐体１５の開口部に対し図示しない蝶番機構により開閉可能に取り付けられている。フロントマスク２は、上から上パネル部２ａ、中パネル部２ｂ、下パネル部２ｃに概ね分けられ、これらは化粧板として視覚効果を高めてデザインされた硬質プラスチックにより一体的に形成されている。また、下パネル部２ｃの下方には、メダルを貯留するための受け皿４ａを備える受皿ユニット４が設けられている。
【００１７】
上パネル部２ａには、高輝度の発光ダイオード（ＬＥＤ）を内蔵した上部ランプ５ａ及びコーナーランプ５ｂ、５ｃ等の効果ランプが配置され、リーチや大当たり等の際に点灯または点滅して遊技者の視覚に訴える演出を行っている。また、上パネル部２ａの左右位置には、それぞれスピーカを内蔵した放音部６ａ、６ｂが設けられ、効果音や楽音等によるゲームの演出を行っている。更に、各放音部６ａ、６ｂに挟まれる中央位置には、液晶表示ユニット７が配設されている。
【００１８】
なお、液晶表示ユニット７は、ゲームの進行に応じて適宜選択される動画像を表示して当該ゲームにストーリー性を与えたり、また、ボーナスゲーム等の大当たりの際には、よりダイナミックな画像が表示されて、遊技者に高配当の期待感を引き起こしたりする等の演出を行っている。
【００１９】
中段の中パネル部２ｂには、その中央に略長方形の透明な表示窓８ａが形成されたパネル板としての中パネル板８が取り付けられている。そして、この表示窓８ａを通して、筐体１５内に設けられている円筒状の３個のリール１０ａ，１０ｂ，１０ｃを遊技者が目視できるように構成されている。
【００２０】
なお、各リール１０ａ，１０ｂ，１０ｃの周面には、複数の異なる種類を含む例えば２１個の図柄がほぼ等間隔で配列され、表示窓８ａに臨む縦３個、横３列の図柄が当該表示窓を通して遊技者に視認されるようになっている。
【００２１】
また、図示はしていないが中パネル板８の前面適宜の位置には、内部当選した役を告知する告知表示部やクレジット数等を表示する数値表示部等の遊技情報を表示するための表示部が形成されている。
【００２２】
中パネル板８の下方には、前方に若干突出した操作卓９と呼ばれる卓状部が形成され、ここには、ゲームに使用するメダルを投入するための投入口を有するメダル投入部１１と、ゲームの操作を指示するためのベットボタン１２、スタートレバー１３、及び３個のストップボタン１４ａ，１４ｂ，１４ｃ等が配設されている。
【００２３】
ベットボタン１２は、ゲームに賭けるメダルの枚数を提示するための押圧式のボタンスイッチである。スタートレバー１３は、リール１０ａ，１０ｂ，１０ｃを一斉に回転させる指示をするためのレバースイッチであり、先端に球形の操作ノブを有するレバーを上下左右の何れかの方向に傾動操作するとオン作動し、レバーから手が離されるとスプリングの付勢力によって自動的に元の位置に戻ってオフ作動するように構成されている。
【００２４】
ストップボタン１４ａ，１４ｂ，１４ｃは、各リール１０ａ，１０ｂ，１０ｃの回転停止を個別に指示するための押圧式のボタンスイッチであり、各リールの配列に対応してそれぞれ並設されている。
【００２５】
フロントマスク２の下パネル部２ｃには、スロットマシン１のモデルタイプ等を遊技者へ認識させるための、例えば登場キャラクターの絵柄（図示略）などが印刷されて表示されている。
【００２６】
前扉３の最下部に設けられた受皿ユニット４には、入賞配当等によりメダルを払い出すメダル払出口１６と、スピーカを内蔵しゲームの進行に応じて演出効果音を発生させる放音部１７ａ，１７ｂとがそれぞれ配設されている。
【００２７】
かかる構造のスロットマシン１は、先のゲームにおいて入賞しメダルの払い出しが完了した時、または先のゲームにおいてハズレが確定すると待機状態となる。この状態において、遊技者がメダル投入部１１よりメダルを投入すると、そのメダルがクレジットに加算され内部貯留される。
【００２８】
この状態で遊技者がベットボタン１２を押圧操作することで、クレジットされたメダルの一部が当該ゲームに賭けられゲームが開始する。そして、遊技者がスタートレバー１３を傾動操作すると、全てのリール１０ａ，１０ｂ，１０ｃが一斉に回転し、これと同時に入賞役が内部的な処理で乱数抽選される。
【００２９】
次に、遊技者がストップボタン１４ａ，１４ｂ，１４ｃを任意の順番で押圧操作すると、それに従い順次対応するリールが停止し、全てのリール１０ａ，１０ｂ，１０ｃが停止した後、各リールに表示された図柄の組合せと上述の内部抽選した入賞役に係る図柄の組合せとが一致しているか否かが判定される。これらが一致したときには当該入賞が確定し、その入賞役の種類に応じた枚数のメダルがクレジットに加算され配当される。入賞の配当によりクレジットの上限を超える場合には、その超過した枚数分のメダルがメダル排出口１６より受皿ユニット４へ払い出される。
【００３０】
このように、スロットマシン１の遊技者は、リール１０ａ，１０ｂ，１０ｃを回転・停止させる遊技操作を行って、表示窓８ａに変動表示した図柄が揃わなければ賭けたメダルを失うが、予め定められた組合せで図柄が揃い入賞が成立すると賭けた枚数以上のメダルを獲得し得るので、技量と運とによりメダルを増やすという興趣を伴った勝敗ゲームを楽しむことができる。
【００３１】
次に、フロントパネル２の裏面側について説明する。フロントパネル２の裏面側の上部には、前述した放音部６ａ，６ｂのスピーカＳＲ，ＳＬが設けられ、スピーカＳＲ，ＳＬの間には演出表示装置１９が設けられている。演出表示装置１９の裏側には、電気回路基板で形成された画像処理基板３１及びサブ制御基板３３を段状に収容した基板ケース３０が取り付けられている。基板ケース３０の詳細は後述する。
【００３２】
画像処理基板３１は、ＶＤＰ（Video Display Processor）及びフレームメモリやビデオＲＡＭ等を搭載しており、液晶表示ユニット７に表示する画像データに基づいてビデオ信号を生成し、液晶表示ユニット７において演出用の動画像を表示する制御を行う。サブ制御基板３３は、上部ランプ５ａ及びコーナランプ５ｂ、５ｃ等の光源であるＬＥＤ等を点灯または点滅制御し、音源データを選択して復号化（再生）した音信号に基づいてスピーカ６ａ、６ｂ、１７ａ、１７ｂを鳴動駆動し、演出画像データを適宜選択して処理する機能を有する。
【００３３】
演出表示装置１９の下方には、前述した表示窓８ａを形成した略長方形状の枠部材２０が取り付けられており、この枠部材２０の下方には、メダル投入部１１より投入された投入物が正規の遊技メダルか否かを判別して振り分けるセレクト機構Ｇ０と、セレクト機構Ｇ０で振り分けられた遊技メダルを筐体１５側に設けられたホッパ装置ＨＰへ案内するガイド部材Ｇ１と、セレクト機構Ｇ０で振り分けられた異物をメダル払出口１６へ案内するガイド部材Ｇ２と、ホッパ装置ＨＰから出力される払い出し用のメダルをメダル払出口１６へ案内するガイド部材Ｇ３とが設けられている。メダル払出口１６の近傍には、前述した放音部１７ａ，１７ｂを構成するスピーカＳＷが取り付けられている。
【００３４】
枠部材２０とセレクト機構Ｇ０との間には、長尺状の電気回路基板で形成された中央表示基板２１が取り付けられている。この中央表示基板２１には、前述した操作卓９に設けられているベットボタン１２と、スタートレバー１３と、ストップボタン１４ａ，１４ｂ，１４ｃ等が電気的に配線接続され、これらのボタン１２，１４ａ，１４ｂ，１４ｃの出力信号はハーネスを介して筐体１５に設けられた主制御基板３５に転送されるようになっている。
【００３５】
筐体１５内には、主電源装置ＰＷＵと、ホッパ装置ＨＰから溢れた遊技メダルを収容する補助貯留部ＳＨＰが設けられる他、前述したリール１０ａ，１０ｂ，１０ｃが設けられている。主電源装置ＰＷＵの側面には電源装置基板３６が取り付けられ、リール１０ａ，１０ｂ，１０ｃの上方には回胴装置基板３７が取り付けられ、回胴装置基板３７の上方には前述した主制御基板３５が取り付けられている。主制御基板３５は、半導体メモリ（ＲＯＭ）とマイクロプロセッサ（ＭＰＵ）等が搭載されており、このマイクロプロセッサＭＰＵが、半導体メモリＲＯＭに予め記憶されているシステムプログラムとスロットマシンゲーム用のプログラムを実行し、電源装置基板３６、回胴装置基板３７及びサブ制御基板３３に所定の指令を行って夫々に分散制御を行わせることにより、本スロットマシン１全体を集中制御する。
【００３６】
このように構成されたスロットマシン１の演出表示装置１９の裏側に配設された基板ケース３０は、ねじ等によって演出表示装置１９の裏面側に着脱可能に取り付けられている。基板ケース３０は、図３（斜視図）、図４（分解斜視図）及び図５（断面図）に示すように、透明な合成樹脂材料（例えば、ＰＣ）で一体成形され、演出表示装置１９の裏面側に取り付けられるケース基部４０と、ケース基部４０に装着される第１ケース蓋部５０と、第１ケース蓋部５０に装着される第２ケース蓋部６０とを備えてなる。
【００３７】
ケース基部４０は、画像処理基板３１を搭載して固定する長方形状のベース部４１に、ベース部４１の外周を囲むように立設された周壁部４２を形成し、前側に開口部４３を形成して、略矩形箱状に形成されている。上側に配置された周壁部４２には、横方向に所定間隔を有して配置されて前側へ突出する係止部４４が一対設けられている。係止部４４の先端部には内側に突出する係止突起部４４ａが形成されている。係止部４４は弾性変形可能であり、先端部を外側方向へ押圧すると、係止突起部４４ａが外側方向へ移動して後述する係合凸部５４との係止状態を解除することができる。下側に配置された周壁部４２には、横方向に所定間隔を有して配置されて周壁部４２に沿って延びる支持軸部４５が一対形成されている。ケース基部４０の開口部４３には、画像処理基板３１に取り付けられた電子部品３２がケース基部４０の前側へ延びるように配置されて、画像処理基板３１がケース基部４０にねじ３４等によって取り付けられている。
【００３８】
第１ケース蓋部５０は、ケース基部４０に取り付けられた画像処理基板３１を覆うようにして配置され、画像処理基板３１に面する第１天板部５１にこの外周を囲むように立設された蓋側周壁部５２を形成し、後側に開口部５３を形成して、略矩形箱状に形成されている。上側に配置された蓋側周壁部５２の外側先端部には、前述したケース基部４０に設けられた係止部４４の係止突起部４４ａを係止する係合凸部５４が横方向に所定間隔を有して一対設けられている。係合凸部５４は、ケース基部４０に第１ケース蓋部５０が装着されると、ケース基部４０の対応する係止部４４の係止突起部４４ａと係止可能な位置に配設されている。また上側に配置された蓋側周壁部５２の外側前端部には、横方向に所定間隔を有して配置されて前側へ延びる係止部４４'が一対設けられている。この係止部４４'は、前述したケース基部４０に設けられた係止部４４と同一形状を有しているので、係止部４４に準じた符号を附してその説明を省略する。
【００３９】
下側に配置された蓋側周壁部５２の外側後端部には、第１ケース蓋部５０の支持軸部４５に着脱可能であって回動自在に嵌合する嵌合凹部５５が横方向に所定間隔を有して一対設けられている。この嵌合凹部５５は略円形状であり、下側に支持軸部４５を挿抜可能な開口部５５ａが形成されている。このため、支持軸部４５をこの開口部５５ａから嵌合凹部５５内に挿着し、また嵌合凹部５５から支持軸部４５を抜脱することができ、その結果、第１ケース蓋部５０をケース基部４０に着脱可能に装着することができる。また下側に配置された蓋側周壁部５２の外側前端部には、前述したケース基部４０に設けられた支持軸部４５と同一形状の支持軸部４５'が横方向に所定間隔を有して一対設けられている。
【００４０】
ケース基部４０に第１ケース蓋部５０を装着すると、第１ケース蓋部５０の第１天板部５１及び蓋側周壁部５２によって囲まれる空間部５６によってケース基部４０に取り付けられた画像処理基板３１を収容することができる。
【００４１】
第１ケース蓋部５０内には、前後方向に延びる封鎖手段５７が複数設けられており、これらの封鎖手段５７によってケース基部４０に第１ケース蓋部５０が固定されると、封鎖手段５７を壊さなければケース基部４０と第１ケース蓋部５０を分離することができない。
【００４２】
第２ケース蓋部６０は、第１ケース蓋部５０の第１天板部５１を覆うようにして配置され、第１天板部５１に面する第２天板部６１にこの外周を囲むように立設された蓋側周壁部６２を形成し、後側に開口部６３を形成して、略矩形箱状に形成されている。上側に配置された蓋側周壁部６２の外側後端部には、前述した第１ケース蓋部５０に設けられた係止部４４'の係止突起部４４'ａを係止する係合凸部５４'が横方向に所定間隔を有して一対設けられている。係合凸部５４'は、第１ケース蓋部５０に第２ケース蓋部６０が装着されると、第１ケース蓋部５０の対応する係止部４４'の係止突起部４４'ａを係止可能な位置に配置されている。また下側に配置された蓋側周壁部６２の外側後端部には、第１ケース蓋部５０の支持軸部４５'に着脱可能であって回動自在に嵌合する嵌合凹部５５'が横方向に所定間隔を有して一対設けられている。この嵌合凹部５５'は、第１ケース蓋部５０に設けられた嵌合凹部５５と同一形状であるので、嵌合凹部５５に準じた符号を附してその説明を省略する。
【００４３】
第２ケース蓋部６０は、第２天板部６１及び蓋側周壁部６２によって囲まれる空間部６４を形成し、この空間部６４内に第２天板部６１から後側に延びる封鎖手段６５が複数設けられている。封鎖手段６５は、第２天板部６１から後側に延びる筒部６５ａと、筒部６５ａの開口部に嵌着されるキャップ部６５ｂと、筒部６５ａ内に挿入されるねじ６５ｃと、サブ制御基板３３に取り付けられてねじ６５ｃを留めるボス部６５ｄとを有してなる。この封鎖手段６５の筒部６５ａの先端部にサブ制御基板３３を配置し、筒部６５ａ内に挿入されたねじ６５ｃをボス部６５ｄに螺合し、開口部にキャップ部６５ｂを嵌着することで、サブ制御基板３３は封鎖手段６５を介して第２ケース蓋部６０に固定される。サブ制御基板３３は、それに取り付けられた電子部品３８が第２天板部６１側に向いた状態で固定されている。このため、第２天板部６１の外側から第２天板部６１を介してサブ制御基板３３の電子部品３８の目視確認が可能であり、また封鎖手段６５を壊さなければこの電子部品３８に触れることができない。
【００４４】
つまり、基板ケース３０は、ケース基部４０に第１ケース蓋部５０を装着して形成される第１ケース内部に画像処理基板３１を収容し、封鎖手段５７によって第１ケース蓋部５０とケース基部４０とを分離不能に固定し、サブ制御基板３３を封鎖手段６５によって第２ケース蓋部６０に分離不能に固定し、第２ケース蓋部６０を第１ケース蓋部５０に回動自在に取り付けて構成されている。
【００４５】
このため、基板ケース３０の外側から第２ケース蓋部６０内に収容されたサブ制御基板３３の電子部品３８を目視確認することができる。また第１ケース蓋部５０内に収容された画像処理基板３１の電子部品３２を目視確認する場合、図６（ｂ）（部分側面図）及び図５に示すように、第１ケース蓋部５０とケース基部４０が封鎖手段５７によって固定されていなければ、ケース基部４０に対して第１ケース蓋部５０を回動させると、画像処理基板３１が露出してこれに取り付けられた電子部品３２を目視確認することができるが、通常は、封鎖手段５７によって第１ケース蓋部５０とケース基部４０は固定されているため、画像処理基板３１の電子部品３２を目視確認することができない。
【００４６】
しかしながら、図６（ａ）（部分側面図）及び図５に示すように、に示すように、第２ケース蓋部６０は第１ケース蓋部５０に対して回動自在に取り付けられているので、第１ケース蓋部５０に対して第２ケース蓋部６０を回動させるだけで、第１ケース蓋部５０の第１天板部５１が露出して、この第１天板部５１を介して第１ケース蓋部５０内に収容された画像処理基板３１の電子部品３２を目視確認することができる。このとき第２ケース蓋部６０内に収容されたサブ制御基板３３も回動するが、サブ制御基板３３に取り付けられた電子部品３８は内側に向いて取り付けられているので、電子部品３８が露出することはない。またサブ制御基板３３は封鎖手段６５によって第２ケース蓋部６０に固定されているので、この封鎖手段６５を壊さなければサブ制御基板３３の電子部品３８に触れることはできない。このため、この電子部品３８に対する不正操作を高い抑止力で防止することができる。
【００４７】
このように、基板ケース３０は、第２ケース蓋部６０を第１ケース蓋部５０に対して回動させるだけで、サブ制御基板３３が第１ケース蓋部５０から離反するので、サブ制御基板３３を第２ケース蓋部６０から取り外す必要がない。このため、本発明の基板ケース３０は、第１ケース蓋部５０に収容された画像処理基板３１の電子部品３２の目視確認を容易に行うことができる。従って、第１ケース蓋部５０に目視確認の必要性がある電子部品を取り付けた回路基板を積極的に収容することができ、本発明の基板ケース３０はスロットマシン１内における回路基板の配置の自由を拡大することができる。
【００４８】
なお、前述した実施例では、画像処理基板３１の電子部品３２を目視確認する際に、第２ケース蓋部６０を第１ケース蓋部５０に対して回動させる場合を示したが、第２ケース蓋部６０を第１ケース蓋部５０から取り外してもよい。このようにすると、第１ケース蓋部５０の第１天板部５１を確実に露出することができ、電子部品の目視確認の作業性をより向上することができる。
【００４９】
また前述した実施例では、基板ケース３０を透明な材料で形成したが、電子部品の目視が可能であれば、基板ケース３０を色付き又は無色の半透明な材料で形成してもよい。
【００５０】
また前述した基板ケース３０は、ケース基部４０に第１ケース蓋部５０及び第２ケース蓋部６０を２段状に重ねたものを示したが、図７（断面図）に示すように、ケース基部４０に第１ケース蓋部５０を複数段重ね、これらの先端部に第２ケース蓋部６０を重ねるようにして多段状の基板ケース７０を構成してもよい。なお、この多段状の基板ケース７０を構成するケース基部４０、第１ケース蓋部５０、第２ケース蓋部６０は、２段状の基板ケース３０のそれらと同様の構成であるので、同一態様部分については同一符号を附してその説明を省略する。
【００５１】
このように多段状の基板ケース７０を構成すると、ケース基部４０に取り付けられた回路基板７１の電子部品７２を目視確認する場合には、ケース基部４０側から２段目の第１ケース蓋部５０を回動させる。また２段目の第１ケース蓋部５０内の回路基板７３の電子部品７４を目視確認する場合には、ケース基部４０側から３段目の第１ケース蓋部５０を回動させればよい。このようにケース基部４０に取り付けられた回路基板７１の電子部品７２のみならず、第１ケース蓋部５０に取り付けられた回路基板７３の電子部品７４の目視確認を容易に行うことができ、遊技機内の回路基板の配置の自由をさらに拡大することができる。
【００５２】
さらに前述した実施例では、スロットマシン１を例にしたが、パチンコやゲームセンタで用いられているゲーム機などを対象にしてもよい。
【図面の簡単な説明】
【００５３】
【図１】本発明の一実施の形態に係わる基板ケースを搭載したスロットマシンの正面図を示す。
【図２】このスロットマシンの前扉を開けた状態における前扉及び筐体の内部構造図を示す。
【図３】基板ケースの斜視図を示す。
【図４】基板ケースの分解斜視図を示す。
【図５】基板ケースの断面図を示す。
【図６】基板ケースの動作を説明するための部分側面図を示す。
【図７】基板ケースの他の実施形態の断面図を示す。
【符号の説明】
【００５４】
１  スロットマシン（遊技機）
３０  基板ケース
３１  画像処理基板（第１回路基板）
３３  サブ制御基板（第２回路基板）
３８  電子部品
４０  ケース基部
５０  第１ケース蓋部
６０  第２ケース蓋部
６１  第２天板部（天板部）
６５  封鎖手段
【図１】
2007244635.tif 000003
【図２】
2007244635.tif 000004
【図３】
2007244635.tif 000005
【図４】
2007244635.tif 000006
【図５】
2007244635.tif 000007
【図６】
2007244635.tif 000008
【図７】
2007244635.tif 000009